(57)【要約】【課題】地中に埋設された柱状改良杭を低コストで且つ確実に撤去する技術を提供する。【解決手段】ケーシング１２を柱状改良杭Ｐの上方位置にセットする位置決め工程と、ケーシング１２を回転させながら下降させることにより、外側破砕ビット１３で地中を掘削しながらケーシング１２が柱状改良杭Ｐの一部を包囲するまでケーシング１２を地中に挿入する挿入工程と、スクリュー１１をケーシング１２の上方位置にセットする掘削準備工程と、ケーシング１２の内部を貫通するように、スクリュー１１を回転及び下降させながら内側破砕ビット１４で柱状改良杭Ｐを破砕して掘削孔Ｈを形成する掘削工程と、スクリュー１１の基端側１１Ｂから圧縮空気を注入して先端側１１Ａから噴射させることにより、掘削孔Ｈ内に存在する柱状改良杭Ｐの破砕物ｐをケーシング１２の上部から排出する排出工程と、を包含する。【選択図】図２
2017025534.tif 000002
【特許請求の範囲】
【請求項１】
外側破砕ビットが装着された筒状のケーシングと、内側破砕ビットが装着されたスクリューとを用いて、地中に埋設された筋材又は線材を含まない柱状改良杭を撤去する地中埋設杭撤去方法であって、
前記スクリューは、前記ケーシングの内部を上下移動及び回転可能に構成され、
前記ケーシングを前記柱状改良杭の上方位置にセットする位置決め工程と、
前記ケーシングを回転させながら下降させることにより、前記外側破砕ビットで地中を掘削しながら前記ケーシングが前記柱状改良杭の一部を包囲するまで前記ケーシングを地中に挿入する挿入工程と、
前記スクリューを前記ケーシングの上方位置にセットする掘削準備工程と、
前記ケーシングの内部を貫通するように、前記スクリューを回転及び下降させながら前記内側破砕ビットで前記柱状改良杭を破砕して掘削孔を形成する掘削工程と、
前記スクリューの基端側から圧縮空気を注入して先端側から噴射させることにより、前記掘削孔内に存在する前記柱状改良杭の破砕物を前記ケーシングの上部から排出する排出工程と、
を包含する地中埋設杭撤去方法。
【請求項２】
前記ケーシングを地中に挿入したまま、前記スクリューを前記ケーシングから引き抜く第一準備工程と、
前記スクリューが引き抜かれた前記ケーシングの上部にホッパーを装着する第二準備工程と、
前記ホッパーを介して、前記ケーシングの上部から前記掘削孔の最深位置まで前記スクリューを再挿入する第三準備工程と、
前記スクリューを逆回転及び上昇させながら前記ホッパーに土壌を投入する充填工程と、
前記掘削孔に土壌が充填された状態で、前記前記ケーシングを引き抜く引抜工程と、
をさらに包含する請求項１に記載の地中埋設杭撤去方法。
【請求項３】
前記挿入工程において、前記ケーシングは、前記柱状改良杭を上から長手方向で１〜５０％包囲する深さに到達するまで挿入される請求項１又は２に記載の地中埋設杭撤去方法。
【請求項４】
前記挿入工程において、前記外側破砕ビットは、前記ケーシングの直径より大きい回転径で回転する請求項１〜３の何れか一項に記載の地中埋設杭撤去方法。
【請求項５】
前記掘削工程において、前記内側破砕ビットは、前記ケーシングの直径の９０〜９９％の回転径で回転する請求項１〜４の何れか一項に記載の地中埋設杭撤去方法。
【請求項６】
地中に埋設された筋材又は線材を含まない柱状改良杭を撤去する地中埋設杭撤去装置であって、
外側破砕ビットが装着された筒状のケーシングと、
内側破砕ビットが装着され、前記ケーシングの内部を上下移動及び回転可能に構成されるスクリューと、
前記ケーシング及び前記スクリューを前記柱状改良杭の上方位置にセットする位置決め手段と、
前記スクリューの基端側に接続され、当該スクリューの先端側から圧縮空気を噴射させる圧縮空気源と、
前記破砕ビットによって破砕された前記柱状改良杭の破砕物を排出する排出手段と、
を備えた地中埋設杭撤去装置。
【請求項７】
前記ケーシングの上部に装着されるホッパーと、
前記スクリューを前記ケーシングに対して相対移動させる移動手段と、
前記ケーシングの内部に土壌を充填する充填手段と、
前記ケーシングを引き抜く引抜手段と、
をさらに備えた請求項６に記載の地中埋設杭撤去装置。
【発明の詳細な説明】
【技術分野】
【０００１】
本発明は、地中に埋設された筋材又は線材を含まない柱状改良杭を撤去する地中埋設杭撤去方法、及び地中埋設杭撤去装置に関する。
【背景技術】
【０００２】
住宅等の建物を建築する場合、その地盤の強度が不十分であることが判明すると、地盤を安定させるための地盤改良工事が行われることがある。例えば、「柱状改良工法」と呼ばれる地盤改良工事が知られている。柱状改良工法は、地盤を掘削してセメントスラリーを注入し、その状態で攪拌を行ってセメントスラリーと地盤に含まれる土壌とを混合し、その混合物を固化させて地中に柱状の杭を形成する工法である。この杭は柱状改良杭と呼ばれ、軟弱な地盤の上に建築された建物を安定化させるように機能するものである。柱状改良工法は、軟弱層が地表面から続いている場合に有効な工法であり、比較的小型の機械を用いて施工することができるため、近年、一般住宅向けの地盤改良工事において施工実績が増加している。
【０００３】
地盤の深層部が軟弱である場合には、「スラリー系機械攪拌式深層混合処理工法」と呼ばれる地盤改良工事が行われる。スラリー系機械攪拌式深層混合処理工法は、地盤を掘削しながら、セメントスラリーの注入及び攪拌機による攪拌を行い、掘削が所定の深度に到達したら、攪拌機を上下に反復移動させることで、深層部でのセメントスラリーと土壌との混合性を高めたものであり、これも柱状改良工法の一種である。スラリー系機械攪拌式深層混合処理工法では、攪拌機の攪拌速度、並びに上下移動速度（掘削速度及び引き揚げ速度）を管理することにより、高品質の柱状改良杭を形成することができる。
【０００４】
このように、柱状改良工法によって地中に形成される柱状改良杭は、基本的にはセメントスラリーと土壌との混合物から構成される中実の柱状体であり、鉄骨等の筋材やピアノ線等の線材が含まれないコンクリートを主成分としたシンプルな構造物となる。
【０００５】
ところで、土地を売却する場合、その土地に建築されている建物を解体し、整地することが求められることがある。ところが、上記のような地盤改良工事を施工した土地では、地中に柱状改良杭が残存しているため、地表面を更地にしただけでは不十分であり、柱状改良杭を撤去しなければ土地の評価額が低くなることがある。そこで、地中に杭等が埋設されている場合には、これらを完全に撤去する等して土地をほぼ元の状態に回復させることが望まれている。
【０００６】
地中に埋設された杭を撤去する技術として、例えば、杭に振動を与えて周辺地盤との摩擦を低減することにより、杭を引き抜き易くする工法があった（例えば、特許文献１を参照）。特許文献１によれば、地中に突き刺さっている既設杭を引き抜くために、チャック装置を備えた振動杭打機が使用される。この工法では、既設杭をチャック装置の中心に位置させた状態で振動杭打機を地盤の所定位置まで貫入し、チャック装置で既設孔を保持した状態で振動杭打機を上昇させる。これにより、既設杭は地中から撤去される。
【０００７】
地中に埋設された杭を撤去する他の技術として、杭が埋設されている地盤に存在する地下水を利用し、杭が打設されている地層を緩ませた状態で杭を引き抜く工法があった（例えば、特許文献２を参照）。特許文献２によれば、既設杭の内部に詰まった土砂等の充填物を既設杭の下端まで掘削し、土砂等を地下水とともに排出することにより、既設杭下端でボイリング現象を誘発させる。これにより、既設杭を支持している地盤に緩みが発生し、この状態で既設杭を一旦下方に貫入させた後、上方に引き揚げると、既設杭は地中から撤去される。
【０００８】
地中に埋設された杭を撤去する別の技術として、杭を細かく切断した状態で繰り返し地上に排出する工法があった（例えば、特許文献３を参照）。特許文献３によれば、既設杭の軸心近傍を掘削して貫通孔を形成し、この貫通孔の内部にガイドレールを敷設し、当該ガイドレールに既設杭を切断するための切断手段、及び切断片を地上に搬送するための排出手段を走行させている。既設杭は、切断手段による切断、及び排出手段による切断片の搬送が繰り返されることにより、地中から順次撤去される。
【先行技術文献】
【特許文献】
【０００９】
【特許文献１】特開平６−１４６２８２号公報
【特許文献２】特開２０００−３５２０５３号公報
【特許文献３】特開平７−２１６８８６号公報
【発明の概要】
【発明が解決しようとする課題】
【００１０】
上述の特許文献１〜３に記載される技術は、工場やビル等の比較的大規模な建築物に使用されることが多い既設杭を対象とした工法であり、近年、施工実績が増加している一般住宅向けの地盤改良工事等において用いられる柱状改良杭を想定したものではない。このため、特許文献１〜３の既設杭の撤去工法をそのまま柱状改良杭の撤去に転用すると、様々な問題が発生することが予想される。
【００１１】
特許文献１の工法は、既設杭を撤去するために振動杭打機を使用しているが、一般住宅等に使用される柱状改良杭は、筋材又は線材を含まないため、既設杭と比べると脆く砕け易いものとなっている。そのため、振動杭打機を用いて柱状改良杭に振動を与えると、柱状改良杭が地中で破断し、地上に引き揚げることができなくなる虞がある。また、振動杭打機は大掛かりな装置構成となるため、日本の一般的な住宅地では、装置や機材の搬入自体が難しいケースが多いと予想される。
【００１２】
特許文献２の工法は、それほど大掛かりな装置構成とはならないが、大量の地下水が土砂とともに地表に噴出するため、杭を引き揚げた後に泥水処理が必要となる。また、地下水が存在する地盤でなければ実施できないため、日本の一般的な住宅地において適用できるケースは限られている。
【００１３】
特許文献３の工法は、既設杭に形成した貫通孔内部にガイドレール等の構造物を設置することから、径が大きい杭を対象とするものである。一般住宅等に使用される柱状改良杭は、通常、既設杭より径が小さいため、同様の工法を適用することは困難である。また、装置構成が複雑になるため、施工に多大なコストを要するという問題もある。
【００１４】
このように、地中に埋設された既設杭を撤去する技術は種々が知られているが、地中に埋設された柱状改良杭を撤去するための技術については、柱状改良杭の歴史が比較的浅いこともあって、有効な工法は未だ開発されていないのが現状である。
【００１５】
本発明は、上記問題点に鑑みてなされたものであり、特に、近年、一般住宅等に使用されるようになってきた筋材又は線材を含まない柱状改良杭を対象とし、地中に埋設された柱状改良杭を低コストで且つ確実に撤去する技術を提供することを目的とする。
【課題を解決するための手段】
【００１６】
上記課題を解決するための本発明に係る地中埋設杭撤去方法の特徴構成は、
外側破砕ビットが装着された筒状のケーシングと、内側破砕ビットが装着されたスクリューとを用いて、地中に埋設された筋材又は線材を含まない柱状改良杭を撤去する地中埋設杭撤去方法であって、
前記スクリューは、前記ケーシングの内部を上下移動及び回転可能に構成され、
前記ケーシングを前記柱状改良杭の上方位置にセットする位置決め工程と、
前記ケーシングを回転させながら下降させることにより、前記外側破砕ビットで地中を掘削しながら前記ケーシングが前記柱状改良杭の一部を包囲するまで前記ケーシングを地中に挿入する挿入工程と、
前記スクリューを前記ケーシングの上方位置にセットする掘削準備工程と、
前記ケーシングの内部を貫通するように、前記スクリューを回転及び下降させながら前記内側破砕ビットで前記柱状改良杭を破砕して掘削孔を形成する掘削工程と、
前記スクリューの基端側から圧縮空気を注入して先端側から噴射させることにより、前記掘削孔内に存在する前記柱状改良杭の破砕物を前記ケーシングの上部から排出する排出工程と、
を包含することにある。
【００１７】
上述のとおり、一般住宅向けの地盤改良工事において施工される柱状改良杭は、比較的新しい技術であるため、建物を解体して柱状改良杭が埋設されている土地を整地するというケースはまだそれほど多くはない。従って、地中に埋設されている柱状改良杭の撤去技術は、これから本格的に検討されていく技術であり、既設杭の撤去方法とは異なる新たな技術開発が望まれている。
そこで、本発明者らは、筋材又は線材を含まない柱状改良杭は、従来公知の既存杭と比較して脆く砕け易いという性質に着目し、鋭意研究の結果、柱状改良杭を対象とした新たな撤去工法を開発するに至った。
本構成の地中埋設杭撤去方法によれば、第一段階として、外側破砕ビットが装着された筒状のケーシングを回転させながら下降させて地中に挿入することにより、柱状改良杭の一部がケーシングで包囲され、第二段階として、内側破砕ビットが装着されたスクリューを回転させながら下降させることにより、柱状改良杭が破砕される。このとき、スクリューをケーシングの内部を貫通するように下降させるため、スクリューは柱状改良杭までガイドされるとともに掘削時の横振れが抑制され、柱状改良杭を確実に破砕することができる。また、柱状改良杭の破片は、スクリューの基端側から注入し、先端側から噴射される圧縮空気の力により、ケーシングの上部から地上に排出される。柱状改良杭の破片は、筋材又は線材を含まないことから軽量であり、圧縮空気の力によって地上に排出することが可能である。このように、本発明では、既設杭を撤去する場合に従来は必要であった杭の引き抜き作業が不要となる。本発明は、脆く砕け易い柱状改良杭を無理やり引き抜くのではなく、敢えて地中で破砕してしまうことで、地中から撤去し易くするものである。また、破砕物の搬送に圧縮空気を利用しているため、掘削現場が水でぬかるんだり、薬剤で汚染されたりすることがない。従って、土地を回復させるにあたり、地盤の損傷や汚染を最小限に抑制することができる。
【００１８】
本発明の地中埋設杭撤去方法において、
前記ケーシングを地中に挿入したまま、前記スクリューを前記ケーシングから引き抜く第一準備工程と、
前記スクリューが引き抜かれた前記ケーシングの上部にホッパーを装着する第二準備工程と、
前記ホッパーを介して、前記ケーシングの上部から前記掘削孔の最深位置まで前記スクリューを再挿入する第三準備工程と、
前記スクリューを逆回転及び上昇させながら前記ホッパーに土壌を投入する充填工程と、
前記掘削孔に土壌が充填された状態で、前記前記ケーシングを引き抜く引抜工程と、
をさらに包含することが好ましい。
【００１９】
本構成の地中埋設杭撤去方法によれば、上記第一準備工程乃至第三準備工程を実施した上で、スクリューを逆回転及び上昇させながらホッパーに土壌を投入する充填工程を行っている。これにより、土壌が掘削孔内に圧入されるため、掘削孔を隙間なく確実に土壌で埋めることができる。その結果、土地はほぼ元の状態にまで回復し、整地が完了する。
【００２０】
本発明の地中埋設杭撤去方法において、
前記挿入工程において、前記ケーシングは、前記柱状改良杭を上から長手方向で１〜５０％包囲する深さに到達するまで挿入されることが好ましい。
【００２１】
本構成の地中埋設杭撤去方法によれば、ケーシングが柱状改良杭を上から長手方向で１〜５０％包囲するように地中に挿入すれば、地中の柱状改良杭と周囲の地盤との摩擦抵抗が十分に確保されるため、後の掘削工程においてスクリューが柱状改良杭に触れた際に柱状改良杭はスクリューとともに空回りすることなく、確実にスクリューによって破砕される。
【００２２】
本発明の地中埋設杭撤去方法において、
前記挿入工程において、前記外側破砕ビットは、前記ケーシングの直径より大きい回転径で回転することが好ましい。
【００２３】
本構成の地中埋設杭撤去方法によれば、外側破砕ビットによる破砕範囲がケーシングの直径を確実に含むため、地盤の掘削時にケーシングをスムーズに下降させることができ、その結果、ケーシングの内部に柱状改良杭を確実に収容することができる。
【００２４】
本発明の地中埋設杭撤去方法において、
前記掘削工程において、前記内側破砕ビットは、前記ケーシングの直径の９０〜９９％の回転径で回転することが好ましい。
【００２５】
本構成の地中埋設杭撤去方法によれば、内側破砕ビットがケーシングの内壁に干渉することがないため、ケーシング内をスクリューがスムーズに下降することができ、その結果、柱状改良杭を確実に破砕することができる。
【００２６】
上記課題を解決するための本発明に係る地中埋設杭撤去装置の特徴構成は、
地中に埋設された筋材又は線材を含まない柱状改良杭を撤去する地中埋設杭撤去装置であって、
外側破砕ビットが装着された筒状のケーシングと、
内側破砕ビットが装着され、前記ケーシングの内部を上下移動及び回転可能に構成されるスクリューと、
前記ケーシング及び前記スクリューを前記柱状改良杭の上方位置にセットする位置決め手段と、
前記スクリューの基端側に接続され、当該スクリューの先端側から圧縮空気を噴射させる圧縮空気源と、
前記破砕ビットによって破砕された前記柱状改良杭の破砕物を排出する排出手段と、
を備えたことにある。
【００２７】
本構成の地中埋設杭撤去装置によれば、上述した本発明の地中埋設杭撤去方法と同様の優れた作用効果を奏する。
すなわち、本発明では、既設杭を撤去する場合に従来は必要であった杭の引き抜き作業が不要となり、しかも、脆く砕け易い柱状改良杭を地中から容易に撤去することができる。特に、本発明では、ケーシングで柱状改良杭の一部包囲し、次いでケーシングを貫通するようにスクリューを進行させることにより、スクリューは柱状改良杭まで確実にガイドされるとともに掘削時の横振れが抑制され、柱状改良杭を確実に破砕することができる。また、破砕物の搬送に圧縮空気を利用しているため、掘削現場が水でぬかるんだり、薬剤で汚染されたりすることがなく、土地を回復させるにあたり、地盤の損傷や汚染を最小限に抑制することができる。
【００２８】
本発明の地中埋設杭撤去装置において、
前記ケーシングの上部に装着されるホッパーと、
前記スクリューを前記ケーシングに対して相対移動させる移動手段と、
前記ケーシングの内部に土壌を充填する充填手段と、
前記ケーシングを引き抜く引抜手段と、
をさらに備えることが好ましい。
【００２９】
本構成の地中埋設杭撤去装置によれば、上述した本発明の地中埋設杭撤去方法と同様の優れた作用効果を奏する。
すなわち、本発明では、掘削によって形成した掘削孔を隙間なく確実に土壌で埋めることができる。これにより、土地をほぼ元の状態に回復させることができる。
【図面の簡単な説明】
【００３０】
【図１】図１は、本発明の地中埋設杭撤去装置の構成図である。
【図２】図２は、本発明の地中埋設杭撤去方法の実施手順を示した工程説明図である。
【図３】図３は、本発明の地中埋設杭撤去方法の実施手順を示した工程説明図である。
【図４】図４は、本発明の地中埋設杭撤去方法を実施するにあたり、ケーシング及びスクリューと柱状改良杭との適切な位置関係を示した説明図である。
【発明を実施するための形態】
【００３１】
以下、本発明に係る実施形態を図１〜図４に基づいて説明する。ただし、本発明は、以下に説明する実施形態や図面に記載される構成に限定されることを意図しない。
【００３２】
〔柱状改良杭〕
初めに、本発明の地中埋設杭撤去方法、及び地中埋設杭撤去装置において施工対象となる柱状改良杭について説明する。柱状改良杭は、前述したように、柱状改良工法やスラリー系機械攪拌式深層混合処理工法等の地盤改良工事を施工する場合において、地中に形成される筋材や線材を含まない中実の柱状体である。柱状改良杭の構成成分は、主に、セメントと土壌との混合物である。地盤改良工事を行うにあたっては、先ず、セメントスラリーが調合される。セメントスラリーの配合は、水／セメント比（重量比）として、５０／５０〜９０／１０、好ましくは６０／４０〜８０／２０、より好ましくは７０／３０に調整される。セメントスラリーに混合される土壌は、通常は地盤改良工事を行う地盤に存在する土壌（すなわち、掘削土）である。セメントスラリーと土壌との混合比率は、施工する地盤の状態（掘削土の種類、粒度、硬度、粘度、含水量等）を考慮し、施工後の柱状改良杭を含む改良地盤が、後述の許容鉛直支持力度を満たすように調整される。
【００３３】
柱状改良杭は、地盤の掘削穴の内部に形成されるため、通常は円柱形状である。柱状改良杭のサイズは、掘削穴のサイズ、すなわち掘削条件によって決まる。柱状改良杭のサイズは、通常、直径が４００〜１０００ｍｍ、好ましくは５００〜８００ｍｍ、より好ましくは５００〜６００ｍｍに設定され、高さが１〜１０ｍに設定される。また、一般的な住宅地における地盤改良工事の場合、一回の工事において、１０〜８０本程度の柱状改良杭が住宅の基礎下方の地中に形成される。
【００３４】
柱状改良杭は、安全性等の観点から一定の基準を満たすことが要求される。例えば、柱状改良杭を施工した改良地盤の指標として、許容鉛直支持力度が定められている。許容鉛直支持力度とは、地盤がせん断破壊するときの鉛直方向の極限支持力を所定の安全率で割った数値である。長期的に見た場合、改良地盤の許容鉛直支持力度は、２０ｋＮ／ｍ２以上を達成することが望ましいとされている。また、柱状改良杭そのものの強度は、一軸圧縮試験において、６００ｋＮ／ｍ２以上を達成することが望ましいとされている。
【００３５】
〔地中埋設杭撤去装置〕
地盤改良工事によって形成した柱状改良杭を撤去する必要が生じた場合、地中埋設杭撤去装置が用いられる。本発明では、掘削機能を備えた工事用重機を地中埋設杭撤去装置に利用している。図１は、本発明の地中埋設杭撤去装置１００の構成図である。地中埋設杭撤去装置１００は、オーガー１０、車両２０、及びコンプレッサー３０を備えている。
【００３６】
オーガー１０は、車両２０に取り付けた状態で使用される。オーガー１０には、スクリュー１１又はケーシング１２を装着することができる。スクリュー１１は、地盤Ｇを掘削して柱状改良杭Ｐを破砕する機械部品であり、ケーシング１２の内部を上下移動及び回転可能に構成されている。つまり、スクリュー１１は、ケーシング１２を貫通することができる。ここで、スクリュー１１のうち、地盤Ｇを掘削する側（下側）を先端側１１Ａとし、その反対の上側を基端側１１Ｂと規定する。スクリュー１１は、回転軸Ｘに沿って延在するスクリューロッド１１ａと、スクリューロッド１１ａの周囲に螺旋状に形成される回転翼１１ｂとを備えている。スクリューロッド１１ａの内部には回転軸Ｘに沿って中空部１１ｃが形成されている。従って、スクリュー１１は、回転軸Ｘの方向に沿って、基端側１１Ｂからスクリューロッド１１ａ内の中空部１１ｃを介して先端側１１Ａまで通じる管状構造となっている。スクリュー１１は、先端側１１Ａに柱状改良杭Ｐを破砕するための内側破砕ビット１４が装着され、基端側１１Ｂはオーガー１０が接続可能に構成されている。オーガー１０を駆動してスクリュー１１を回転させると、内側破砕ビット１４及び回転翼１１ｂによる地盤Ｇの掘削が進行する。そして、スクリュー１１の進行方向（掘削方向）に柱状改良杭Ｐが存在すると、当該柱状改良杭Ｐは内側破砕ビット１４により破砕される。オーガー１０の駆動中、スクリューロッド１１ａ内の中空部１１ｃは、コンプレッサー３０から供給された圧縮空気によって高圧に維持されている。このため、スクリュー１１は、地盤Ｇの掘削土や柱状改良杭Ｐの破砕物によって閉塞されることはなく、掘削作業を継続することができる。
【００３７】
ケーシング１２は、スクリュー１１の外径より大きい内径を有する筒状部材である。ケーシング１２は、本来は掘削中の地盤Ｇの崩壊を防止するための機械部品であるが、本発明においては、柱状改良杭Ｐの一部（上部）を包囲してスクリュー１１を柱状改良杭Ｐまでガイドするとともに、掘削時のスクリュー１１の横振れ（回転振れ）を抑制する機能を有している。また、ケーシング１２は、掘削土及び破砕物の散乱を防止する役割も担っている。ケーシング１２を貫通するスクリュー１１は、撤去対象となる柱状改良杭Ｐに合わせて交換可能である。そのため、スクリュー１１は、種々のサイズのものが準備されている。典型的な一般住宅用の柱状改良杭を対象とする場合、スクリュー１１のサイズは、外径４００〜１０００ｍｍ、長さ１０００〜１００００ｍｍに設定される。ケーシング１２は、スクリュー１１が内部を貫通するときにスクリュー１１がケーシング１２の内壁と干渉しないように構成され、例えば、前述したサイズのスクリュー１１と組み合わせる場合、内径が４０５〜１１００ｍｍ、長さが１０００〜１００００ｍｍ程度に設定される。このように、ケーシング１２のサイズ（内径）は、スクリュー１１のサイズ（外径）より１〜１０％程度、好ましくは１〜５％程度大きくなるように構成される。なお、スクリュー１１及びケーシング１２として、さらに長いサイズのものを要する場合は、既存のスクリュー１１及びケーシング１２を複数用意し、これらを縦に結合して使用することも可能である。ケーシング１２は、下端側１２Ａに柱状改良杭Ｐの周囲の地盤Ｇを掘削するための外側破砕ビット１３が装着され、上端側１２Ｂには必要に応じてケーシングキャップ１２Ｃが設けられる。オーガー１０を駆動してケーシング１２を回転させると、外側破砕ビット１３による地盤Ｇの掘削が進行し、ケーシング１２の進行方向（掘削方向）に柱状改良杭Ｐが存在すると、そのままケーシング１２は柱状改良杭Ｐを包囲するように進行する。このとき、ケーシング１２は、柱状改良杭Ｐの全体（全長）を包囲するのではなく、柱状改良杭Ｐを上から長手方向で１〜５０％、好ましくは５〜３０％包囲する深さに到達するまでケーシング１２を進行させる。この場合、地中の柱状改良杭Ｐは周囲の地盤と完全に分断されることなく一部が接続された状態となっているので、柱状改良杭Ｐと周囲の地盤との摩擦抵抗が十分に確保される。従って、掘削時にスクリュー１１が柱状改良杭Ｐに触れた際に柱状改良杭Ｐはスクリュー１１とともに空回りすることはなく、確実にスクリュー１１によって破砕される。柱状改良杭Ｐの破砕物は、ケーシング１２の上端側１２Ｂの開口部からそのまま排出することができる。従って、ケーシング１２の開口部は、柱状改良杭Ｐの破砕物を排出する排出手段となる。なお、ケーシング１２にケーシングキャップ１２Ｃを設ける場合は、当該ケーシングキャップ１２Ｃの側方に排出口（図示せず）を設ける。柱状改良杭Ｐの破砕物の排出工程については、後述の「地中埋設杭撤去方法」のところで詳しく説明する。
【００３８】
車両２０は、オーガー１０に装着されたスクリュー１１又はケーシング１２を地盤Ｇに対して鉛直方向に立てた状態で支持しながら、オーガー１０を掘削地点まで移動させる重機である。つまり、車両２０は、スクリュー１１又はケーシング１２を柱状改良杭Ｐが埋設されている地点の上方位置にセットする位置決め手段となる。オーガー１０の昇降動作（上下移動）は、車両２０に設けられたクレーン２１によって行われる。クレーン２１は、オーガー１０を昇降することにより、スクリュー１１又はケーシング１２を上下移動させることができる。例えば、オーガー１０にスクリュー１１を接続し、スクリュー１１をケーシング１２に対してフリー状態（完全に相対移動可能な状態）にしてクレーン２１を上昇させると、スクリュー１１をケーシング１２の内部から引き抜くことができる。このように、クレーン２１は、スクリュー１１をケーシング１２に対して相対移動させる移動手段となる。また、オーガー１０にケーシング１２を接続した状態でクレーン２１を上昇させると、ケーシング１２のみを上方に移動させることもできる。従って、クレーン２１は、ケーシング１２を地中から引き抜く引抜手段としての機能も有する。なお、図１では、車両２０としてクレーンタイプの重機を示してあるが、昇降タイプの重機を使用することも可能である。昇降タイプの重機の場合、垂直上下方向に駆動する昇降機が移動手段及び引抜手段となる。
【００３９】
本発明の地中埋設杭撤去装置１００は、柱状改良杭Ｐの破砕物を圧縮空気の力で地上まで搬送するものである。そのため、圧縮空気源として、コンプレッサー３０を備えている。コンプレッサー３０は、内側破砕ビット１４に圧縮空気を供給するように、オーガー１０を介してスクリュー１１の基端側１１Ｂに接続される。スクリュー１１の基端側１１Ｂに注入された圧縮空気は、スクリューロッド１１ａ内の中空部１１ｃを通過し、スクリュー１１の先端側１１Ａから内側破砕ビット１４の周囲に噴射される。これにより、地中が高圧状態となり、柱状改良杭Ｐの破砕物は上方に押し上げられる。そして、柱状改良杭Ｐの破砕物は、ケーシング１２の上端側１２Ｂの開口部から地上に排出される。コンプレッサー３０から吐出される圧縮空気は、コンプレッサー３０の出力制御や、コンプレッサー３０のバルブ３１の調節により、適切な空気圧および吐出量に調整される。柱状改良杭Ｐの破砕物の搬送及び排出をスムーズに行うためには、コンプレッサー３０から吐出される圧縮空気を、空気圧０．６ＭＰａ以上、吐出量５ｍ３／分以上に維持することが好ましい。なお、圧縮空気源として、コンプレッサー３０の代わりに高圧の空気ボンベ（図示せず）を使用し、空気ボンベから噴射される圧縮空気によって柱状改良杭Ｐの破砕物を搬送及び排出することも可能である。
【００４０】
〔地中埋設杭撤去方法〕
図２及び図３は、本発明の地中埋設杭撤去方法の実施手順を示した工程説明図である。図２及び図３においては、説明簡略化のため、図１に示していた車両２０については記載を省略してある。図４は、本発明の地中埋設杭撤去方法を実施するにあたり、オーガー１０と柱状改良杭Ｐとの適切な位置関係を示した説明図である。ここで、図４は、地盤側からオーガー１０を見たものであるが、柱状改良杭Ｐとの位置関係を分かり易くするため、地中に埋設されている柱状改良杭Ｐの輪郭を破線で示してある。
【００４１】
本発明の地中埋設杭撤去方法では、図２及び図３に示す（ａ）位置決め工程、（ｂ）挿入工程、（ｃ）掘削準備工程、（ｄ）掘削工程、及び（ｅ）排出工程が実施され、さらに、（ｆ）第一準備工程、（ｇ）第二準備工程、（ｈ）第三準備工程、（ｉ）充填工程、及び（ｊ）引抜工程が実施される。その結果、（ｋ）に示すように、整地作業が完了する。以下、地中埋設杭撤去方法の各工程について、詳細に説明する。
【００４２】
図２（ａ）の位置決め工程では、ケーシング１２を柱状改良杭Ｐの上方位置にセットする。地中の柱状改良杭Ｐの位置については、予め事前調査や建物の設計図面等から正確に把握しておくことが好ましい。車両２０のオーガー１０にケーシング１２を取り付けた後、車両２０を操縦して地盤Ｇの掘削地点まで移動し、オーガー１０を撤去対象の柱状改良杭Ｐの上方に正確に配置する。このとき、ケーシング１２が、上面視で柱状改良杭Ｐを包囲するように配置することが好ましい。すなわち、図４のように、ケーシング１２が破砕対象の柱状改良杭Ｐを完全に取り囲むように位置決めする。
【００４３】
図２（ｂ）の挿入工程では、図２（ａ）の状態からオーガー１０を駆動してケーシング１２を回転させながら下降させることにより、ケーシング１２の外側破砕ビット１３で地中を掘削しながらケーシング１２が柱状改良杭Ｐの一部を包囲するまでケーシング１２を地中に挿入する。このとき、ケーシング１２が柱状改良杭Ｐを上から長手方向で１〜５０％、好ましくは５〜３０％包囲する深さに到達するまで挿入する。この場合、地中の柱状改良杭Ｐと周囲の地盤Ｇとの摩擦抵抗が十分に確保されるため、後の掘削工程においてスクリュー１１が柱状改良杭Ｐに触れた際に柱状改良杭Ｐはスクリュー１１とともに空回りすることなく、確実にスクリュー１１によって破砕される。ちなみに、ケーシング１２として長さが２０００ｍｍ程度のものを使用する場合、１５００ｍｍ程度を地中に挿入すればよい。ケーシング１２に取り付けられる外側破砕ビット１３は、ケーシング１２の直径より大きい回転径で回転させることが好ましい。この場合、外側破砕ビット１３による破砕範囲がケーシング１２の直径を確実に含むため、地盤Ｇの掘削時にケーシング１２をスムーズに下降させることができ、その結果、ケーシング１２の内部に柱状改良杭Ｐを確実に収容することができる。ケーシング１２が所定の深さまで挿入され、柱状改良杭Ｐの一部を包囲していることが確認されたら、オーガー１０をケーシング１２から切り離す。
【００４４】
図２（ｃ）の掘削準備工程では、スクリュー１１をケーシング１２の上方位置にセットする。車両２０のオーガー１０にスクリュー１１を取り付けた後、車両２０を操縦してケーシング１２の挿入地点まで移動し、オーガー１０をケーシング１２の上方に正確に配置する。このとき、スクリュー１１の回転軸Ｘが、上面視で柱状改良杭Ｐの中心と略一致するように配置することが好ましい。すなわち、図４のように、スクリュー１１がケーシング１２の内側に完全に収まるように位置決めする。
【００４５】
図２（ｄ）の掘削工程では、オーガー１０を駆動してスクリュー１１を回転させる。図２（ｃ）の状態からスクリュー１１を回転させて下降させると、スクリュー１１の先端側１１Ａに装着されている内側破砕ビット１４が地表面に接触して地盤Ｇの掘削が開始される。そして、このままスクリュー１１の下降を続けると、スクリュー１１はケーシング１２を貫通し、掘削孔Ｈが形成される。このとき、ケーシング１２は、スクリュー１１を柱状改良杭Ｐまでガイドするとともに掘削時のスクリュー１１の横振れを抑制するように機能する。スクリュー１１に取り付けられる内側破砕ビット１４は、ケーシング１２の直径の９０〜９９％の回転径で回転させることが好ましい。この場合、内側破砕ビット１４がケーシング１２の内壁に干渉することがないため、ケーシング１２内をスクリュー１１がスムーズに下降することができ、その結果、柱状改良杭Ｐを確実に破砕することができる。スクリュー１１によって破砕された柱状改良杭Ｐの破砕物ｐは、ケーシング１２及び掘削孔Ｈの内部（内側）に留まっており、広範囲に飛散することはない。
【００４６】
図２（ｅ）の排出工程では、図１に示したコンプレッサー３０を駆動し、スクリュー１１に圧縮空気を供給する。スクリュー１１の基端側１１Ｂに注入された圧縮空気は、スクリューロッド１１ａ内の中空部１１ｃを通り、スクリュー１１の先端側１１Ａから内側破砕ビット１４の周囲に噴射される。これにより、地中が高圧状態となり、柱状改良杭Ｐの破砕物ｐが地上まで押し上げられる。そして、柱状改良杭Ｐの破砕物ｐは、ケーシング１２の上端側１２Ｂから外部に排出される。コンプレッサー３０からスクリュー１１への圧縮空気の注入量は、柱状改良杭Ｐの破砕物ｐの排出量に応じて適宜調整される。圧縮空気の注入量と、柱状改良杭Ｐの破砕物ｐの排出量とのバランスをとることで、柱状改良杭Ｐの撤去作業を連続的に行うことが可能となる。
【００４７】
図２（ｄ）の掘削工程、及び図２（ｅ）の排出工程は、実際には、並行して又は交互に実施される。掘削工程と排出工程とを並行して実施する場合、両工程を同期させることが好ましい。この場合、オーガー１０を駆動してスクリュー１１を回転させると同時に、コンプレッサー３０からスクリュー１１に圧縮空気を注入することで、両工程を同期させることができる。掘削工程と排出工程とを同期させると、柱状改良杭Ｐの破砕物ｐが地中に過剰に滞留したり、柱状改良杭Ｐの破砕物ｐが地上に一気に排出されたりすることなく、安定した定常状態で柱状改良杭Ｐの撤去作業を連続的に行うことが可能となる。掘削工程と排出工程とを交互に実施する場合は、夫々の作業を独立して行うことになるので、一人のオペレーターでも余裕を持って柱状改良杭Ｐの撤去作業を進めることができ、さらに、掘削工程と排出工程とを交互に反復実施することで、最終的に柱状改良杭Ｐを完全に撤去することが可能となる。このように、（ａ）位置決め工程、（ｂ）挿入工程、（ｃ）掘削準備工程、（ｄ）掘削工程、及び（ｅ）排出工程を実施することにより、地中に埋設された柱状改良杭Ｐは撤去される。そして、整地作業を完了するためには、引き続いて（ｆ）第一準備工程、（ｇ）第二準備工程、（ｈ）第三準備工程、（ｉ）充填工程、及び（ｊ）引抜工程を実施する。
【００４８】
図２（ｆ）の第一準備工程では、ケーシング１２を地中に挿入したまま、スクリュー１１をケーシング１２から引き抜く作業が行われる。スクリュー１１の引き抜きは、スクリュー１１をケーシング１２に対してフリー状態（完全に相対移動可能な状態）にし、スクリュー１１に接続したオーガー１０を上昇させることにより行われる。スクリュー１１が引き抜かれたケーシング１２は、内部が空洞状態となり、掘削孔Ｈと連通している。
【００４９】
図３（ｇ）の第二準備工程では、スクリュー１１が引き抜かれたケーシング１２の上端側１２Ｂにホッパー１５を装着する。ホッパー１５は、後の充填工程において、バックホー等の重機を用いて土壌を投入し易いよう、投入口１５Ａが拡大されている。
【００５０】
図３（ｈ）の第三準備工程では、ホッパー１５の投入口１５Ａに、オーガー１０に接続されたスクリュー１１が差し込まれる。このとき、スクリュー１１は、ケーシング１２の上端側１２Ｂから掘削孔Ｈの最深位置まで到達するように挿入される。
【００５１】
図３（ｉ）の充填工程では、ケーシング１２から掘削孔Ｈの内部（空洞）にかけて新たな土壌Ｓが充填される。このとき、スクリュー１１を逆回転及び上昇させながらホッパー１５に土壌Ｓを投入すると、土壌Ｓが掘削孔Ｈ内に圧入されるため、掘削孔Ｈを隙間なく確実に土壌Ｓで埋めることができる。充填工程に使用される土壌Ｓは、土地をほぼ元の状態に回復させるという観点から、掘削を行った地盤Ｇを構成する土壌と同種の土壌が好ましいが、地盤の強度を確保できる土壌であれば、他の場所から持ち込んだ土壌であっても構わない。そのような土壌として、例えば、真砂、川砂、自然砕石、山ズリ等を使用することができる。充填工程は、土壌を効率よく扱うことができる充填手段、例えば、バックホー４０を用いて行われる。バックホー４０を用いて土壌Ｓの充填作業を行えば、複数の柱状改良杭Ｐの撤去作業を効率よく実施することができる。なお、ケーシング１２の内径（すなわち、掘削孔Ｈの直径）が小さい場合は、バックホー４０を用いるまでもなく、作業員が手作業により、ケーシング１２の内部に土壌Ｓを充填するようにしても構わない。
【００５２】
図３（ｊ）の引抜工程では、オーガー１０をケーシング１２に接続し、オーガー１０を上昇させてケーシング１２を撤去する作業が行われる。ケーシング１２を引き抜く際、ケーシング１２に振動を付与しながらオーガー１０を上昇させると、ケーシング１２の外面に接触している地盤Ｇとの摩擦が低減されるため、撤去作業を容易に行うことができる。ケーシング１２を引き抜くと、図３（ｋ）に示すように、地盤Ｇの掘削により形成された掘削孔Ｈの埋め戻しが完了する。
【００５３】
なお、図３（ｊ）の引抜工程において、ケーシング１２を地中から引き抜くと、ケーシング１２の体積（厚み分）に相当する筒状の空隙が瞬間的に地盤Ｇに発生し、埋め戻した土壌Ｓが外側に拡がって地盤Ｇに緩みや窪みが発生することがある。そこで、このような不具合を未然に防止するため、図３（ｉ）の充填工程において、周囲の地表面より若干高い位置まで土壌Ｓを過剰に充填することが好ましい。このような対策をしておくと、ケーシング１２を地中から引き抜いた際、過剰に充填した土壌Ｓがケーシング１２の体積減少分を補填し、地盤Ｇの緩みや窪みの発生を防止することができる。
【００５４】
本発明の地中埋設杭撤去方法によれば、（ａ）位置決め工程、（ｂ）挿入工程、（ｃ）掘削準備工程、（ｄ）掘削工程、（ｅ）排出工程、（ｆ）第一準備工程、（ｇ）第二準備工程、（ｈ）第三準備工程、（ｉ）充填工程、及び（ｊ）引抜工程を実施することにより、地中に埋設されていた柱状改良杭Ｐは土壌Ｓによって完全に置換され、その結果、土地は（ｋ）のように、ほぼ元の状態に回復される。
【００５５】
以上のように、本発明の地中埋設杭撤去方法、及び地中埋設杭撤去装置は、脆く砕け易い柱状改良杭を無理やり引き抜くのではなく、敢えて地中で破砕し、破砕物を圧縮空気の力によって地上に排出するという全く新しい技術を採用するものである。特に、本発明では、ケーシングを地盤に挿入して柱状改良杭の一部を包囲する第一段階と、ケーシングの内部をスクリューが貫通しながら地盤を掘削する第二段階とに分けて掘削作業を行っているため、柱状改良杭を確実に破砕し、地盤の損傷を少なく抑えることができる。また、この新技術によれば、掘削現場が水でぬかるんだり、薬剤で汚染されたりすることがないため、土地を回復させるにあたり、地盤の汚染を最小限に抑制することが可能となる。しかも、本発明は、低コストで且つ確実に地中埋設杭を撤去することができるため、特に、一般の住宅地の整地に適した工法となり得るものである。
【産業上の利用可能性】
【００５６】
本発明の地中埋設杭撤去方法、及び地中埋設杭撤去装置は、一般住宅向けの地盤改良工事において施工される柱状改良杭の撤去に利用可能であるが、筋材又は線材を含まない地中埋設物であれば、他の地中埋設物の撤去においても適用可能である。
【符号の説明】
【００５７】
１０      オーガー
１１      スクリュー
１１ａ    スクリューロッド
１１ｂ    回転翼
１１ｃ    中空部
１１Ａ    スクリューの先端側
１１Ｂ    スクリューの基端側
１２      ケーシング
１２Ａ    ケーシングの下端側
１２Ｂ    ケーシングの上端側
１２Ｃ    ケーシングキャップ
１３      外側破砕ビット
１４      内側破砕ビット
１５      ホッパー
２０      車両（位置決め手段）
２１      クレーン（移動手段、引抜手段）
３０      コンプレッサー（圧縮空気源）
３１      バルブ
４０      バックホー（充填手段）
１００    地中埋設杭撤去装置
Ｇ        地盤
Ｈ        掘削孔
Ｐ        柱状改良杭
ｐ        破砕物
Ｓ        土壌
Ｘ        回転軸
【図１】
2017025534.tif 000003
【図２】
2017025534.tif 000004
【図３】
2017025534.tif 000005
【図４】
2017025534.tif 000006
【手続補正書】
【提出日】平成28年11月24日(2016.11.24)
【手続補正１】
【補正対象書類名】特許請求の範囲
【補正対象項目名】全文
【補正方法】変更
【補正の内容】
【特許請求の範囲】
【請求項１】
外側破砕ビットが装着された筒状のケーシングと、内側破砕ビットが装着されたスクリューとを用いて、地中に埋設された筋材又は線材を含まない柱状改良杭を撤去する地中埋設杭撤去方法であって、
前記スクリューは、前記ケーシングの内部を上下移動及び回転可能に構成され、
前記ケーシングを前記柱状改良杭の上方位置にセットする位置決め工程と、
前記ケーシングを回転させながら下降させることにより、前記外側破砕ビットで地中を掘削しながら前記ケーシングが前記柱状改良杭の一部を包囲するまで前記ケーシングを地中に挿入する挿入工程と、
前記スクリューを前記ケーシングの上方位置にセットする掘削準備工程と、
前記ケーシングの内部を貫通するように、前記スクリューを回転及び下降させながら前記内側破砕ビットで前記柱状改良杭を破砕して掘削孔を形成する掘削工程と、
前記スクリューの基端側から圧縮空気を注入して先端側から噴射させることにより、前記掘削孔内に存在する前記柱状改良杭の破砕物を前記ケーシングの上部から排出する排出工程と、
を包含し、
前記ケーシングを地中に挿入したまま、前記スクリューを前記ケーシングから引き抜く第一準備工程と、
前記スクリューが引き抜かれた前記ケーシングの上部にホッパーを装着する第二準備工程と、
前記ホッパーを介して、前記ケーシングの上部から前記掘削孔の最深位置まで前記スクリューを再挿入する第三準備工程と、
前記スクリューを逆回転及び上昇させながら前記ホッパーに土壌を投入する充填工程と、
前記掘削孔に土壌が充填された状態で、前記ケーシングを引き抜く引抜工程と、
をさらに包含する地中埋設杭撤去方法。
【請求項２】
前記挿入工程において、前記ケーシングは、前記柱状改良杭を上から長手方向で１〜５０％包囲する深さに到達するまで挿入される請求項１に記載の地中埋設杭撤去方法。
【請求項３】
前記挿入工程において、前記外側破砕ビットは、前記ケーシングの直径より大きい回転径で回転する請求項１又は２に記載の地中埋設杭撤去方法。
【請求項４】
前記掘削工程において、前記内側破砕ビットは、前記ケーシングの直径の９０〜９９％の回転径で回転する請求項１〜３の何れか一項に記載の地中埋設杭撤去方法。
【請求項５】
地中に埋設された筋材又は線材を含まない柱状改良杭を撤去する地中埋設杭撤去装置であって、
外側破砕ビットが装着された筒状のケーシングと、
内側破砕ビットが装着され、前記ケーシングの内部を上下移動及び回転可能に構成されるスクリューと、
前記ケーシング及び前記スクリューを前記柱状改良杭の上方位置にセットする位置決め手段と、
前記スクリューの基端側に接続され、当該スクリューの先端側から圧縮空気を噴射させる圧縮空気源と、
前記外側破砕ビット及び前記内側破砕ビットによって破砕された前記柱状改良杭の破砕物を排出する排出手段と、
を備え、
前記ケーシングの上部に装着されるホッパーと、
前記スクリューを前記ケーシングに対して相対移動させる移動手段と、
前記ケーシングの内部に土壌を充填する充填手段と、
前記ケーシングを引き抜く引抜手段と、
をさらに備えた地中埋設杭撤去装置。
【手続補正２】
【補正対象書類名】明細書
【補正対象項目名】００１６
【補正方法】変更
【補正の内容】
【００１６】
上記課題を解決するための本発明に係る地中埋設杭撤去方法の特徴構成は、
外側破砕ビットが装着された筒状のケーシングと、内側破砕ビットが装着されたスクリューとを用いて、地中に埋設された筋材又は線材を含まない柱状改良杭を撤去する地中埋設杭撤去方法であって、
前記スクリューは、前記ケーシングの内部を上下移動及び回転可能に構成され、
前記ケーシングを前記柱状改良杭の上方位置にセットする位置決め工程と、
前記ケーシングを回転させながら下降させることにより、前記外側破砕ビットで地中を掘削しながら前記ケーシングが前記柱状改良杭の一部を包囲するまで前記ケーシングを地中に挿入する挿入工程と、
前記スクリューを前記ケーシングの上方位置にセットする掘削準備工程と、
前記ケーシングの内部を貫通するように、前記スクリューを回転及び下降させながら前記内側破砕ビットで前記柱状改良杭を破砕して掘削孔を形成する掘削工程と、
前記スクリューの基端側から圧縮空気を注入して先端側から噴射させることにより、前記掘削孔内に存在する前記柱状改良杭の破砕物を前記ケーシングの上部から排出する排出工程と、
を包含し、
前記ケーシングを地中に挿入したまま、前記スクリューを前記ケーシングから引き抜く第一準備工程と、
前記スクリューが引き抜かれた前記ケーシングの上部にホッパーを装着する第二準備工程と、
前記ホッパーを介して、前記ケーシングの上部から前記掘削孔の最深位置まで前記スクリューを再挿入する第三準備工程と、
前記スクリューを逆回転及び上昇させながら前記ホッパーに土壌を投入する充填工程と、
前記掘削孔に土壌が充填された状態で、前記ケーシングを引き抜く引抜工程と、
をさらに包含することにある。
【手続補正３】
【補正対象書類名】明細書
【補正対象項目名】００１７
【補正方法】変更
【補正の内容】
【００１７】
上述のとおり、一般住宅向けの地盤改良工事において施工される柱状改良杭は、比較的新しい技術であるため、建物を解体して柱状改良杭が埋設されている土地を整地するというケースはまだそれほど多くはない。従って、地中に埋設されている柱状改良杭の撤去技術は、これから本格的に検討されていく技術であり、既設杭の撤去方法とは異なる新たな技術開発が望まれている。
そこで、本発明者らは、筋材又は線材を含まない柱状改良杭は、従来公知の既存杭と比較して脆く砕け易いという性質に着目し、鋭意研究の結果、柱状改良杭を対象とした新たな撤去工法を開発するに至った。
本構成の地中埋設杭撤去方法によれば、第一段階として、外側破砕ビットが装着された筒状のケーシングを回転させながら下降させて地中に挿入することにより、柱状改良杭の一部がケーシングで包囲され、第二段階として、内側破砕ビットが装着されたスクリューを回転させながら下降させることにより、柱状改良杭が破砕される。このとき、スクリューをケーシングの内部を貫通するように下降させるため、スクリューは柱状改良杭までガイドされるとともに掘削時の横振れが抑制され、柱状改良杭を確実に破砕することができる。また、柱状改良杭の破片は、スクリューの基端側から注入し、先端側から噴射される圧縮空気の力により、ケーシングの上部から地上に排出される。柱状改良杭の破片は、筋材又は線材を含まないことから軽量であり、圧縮空気の力によって地上に排出することが可能である。このように、本発明では、既設杭を撤去する場合に従来は必要であった杭の引き抜き作業が不要となる。本発明は、脆く砕け易い柱状改良杭を無理やり引き抜くのではなく、敢えて地中で破砕してしまうことで、地中から撤去し易くするものである。また、破砕物の搬送に圧縮空気を利用しているため、掘削現場が水でぬかるんだり、薬剤で汚染されたりすることがない。従って、土地を回復させるにあたり、地盤の損傷や汚染を最小限に抑制することができる。
さらに、本構成の地中埋設杭撤去方法によれば、上記第一準備工程乃至第三準備工程を実施した上で、スクリューを逆回転及び上昇させながらホッパーに土壌を投入する充填工程を行っている。これにより、土壌が掘削孔内に圧入されるため、掘削孔を隙間なく確実に土壌で埋めることができる。その結果、土地はほぼ元の状態にまで回復し、整地が完了する。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２６
【補正方法】変更
【補正の内容】
【００２６】
上記課題を解決するための本発明に係る地中埋設杭撤去装置の特徴構成は、
地中に埋設された筋材又は線材を含まない柱状改良杭を撤去する地中埋設杭撤去装置であって、
外側破砕ビットが装着された筒状のケーシングと、
内側破砕ビットが装着され、前記ケーシングの内部を上下移動及び回転可能に構成されるスクリューと、
前記ケーシング及び前記スクリューを前記柱状改良杭の上方位置にセットする位置決め手段と、
前記スクリューの基端側に接続され、当該スクリューの先端側から圧縮空気を噴射させる圧縮空気源と、
前記外側破砕ビット及び前記内側破砕ビットによって破砕された前記柱状改良杭の破砕物を排出する排出手段と、
を備え、
前記ケーシングの上部に装着されるホッパーと、
前記スクリューを前記ケーシングに対して相対移動させる移動手段と、
前記ケーシングの内部に土壌を充填する充填手段と、
前記ケーシングを引き抜く引抜手段と、
をさらに備えたことにある。
【手続補正７】
【補正対象書類名】明細書
【補正対象項目名】００２７
【補正方法】変更
【補正の内容】
【００２７】
本構成の地中埋設杭撤去装置によれば、上述した本発明の地中埋設杭撤去方法と同様の優れた作用効果を奏する。
すなわち、本発明では、既設杭を撤去する場合に従来は必要であった杭の引き抜き作業が不要となり、しかも、脆く砕け易い柱状改良杭を地中から容易に撤去することができる。特に、本発明では、ケーシングで柱状改良杭の一部包囲し、次いでケーシングを貫通するようにスクリューを進行させることにより、スクリューは柱状改良杭まで確実にガイドされるとともに掘削時の横振れが抑制され、柱状改良杭を確実に破砕することができる。また、破砕物の搬送に圧縮空気を利用しているため、掘削現場が水でぬかるんだり、薬剤で汚染されたりすることがなく、土地を回復させるにあたり、地盤の損傷や汚染を最小限に抑制することができる。
さらに、本発明では、掘削によって形成した掘削孔を隙間なく確実に土壌で埋めることができる。これにより、土地をほぼ元の状態に回復させることができる。
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】削除
【補正の内容】